(57)【要約】【課題】外光の出射角度の調整が不要となるような簡素な構造により、外光を床などにほぼ均一に導入することを、人に眩しさを感じさせないようにして実現することができるウインドウ器具を提供する。【解決手段】ウインドウ器具（１Ａ）は、外光（Ｌ）が入射する導光入射面（４）と、外光Ｌを室内に出射する導光出射面（５）とを有する導光部（３）とを備え、導光部（３）は、第１導光体（１１）および第２導光体（１３）を有し、第１導光体（１１）からの出射光（Ｍ１）の第１出射角（α）は、入射角（θ）よりも小さく、第２導光体（１３）からの出射光（Ｍ３）の第２出射角（γ）は、入射角（θ）よりも大きく、第１導光体（１１）は、ウインドウ器具（１Ａ）の使用状態において第２導光体（１３）の上側に位置する。【選択図】図２
2015178739.tif 000002
【特許請求の範囲】
【請求項１】
外光が入射する入射面と、
入射した上記外光を室内に出射光として出射する、上記入射面に平行な出射面とを有する導光部を備えたウインドウ器具であって、
上記導光部は、上記外光を異なる方向に導いて室内に出射する第１導光体および第２導光体を有し、
上記第１導光体から出射される第１出射光と上記出射面がなす第１出射角は、上記外光と上記入射面がなす入射角よりも小さく、
上記第２導光体から出射される第２出射光と上記出射面がなす第２出射角は、上記入射角よりも大きく、
上記第１導光体は、上記ウインドウ器具の使用状態において上記第２導光体の上側に位置することを特徴とするウインドウ器具。
【請求項２】
上記導光部は、上記導光部から出射される上記外光を水平方向に散乱させる散乱構造を有することを特徴とする請求項１に記載のウインドウ器具。
【請求項３】
上記導光部は、上記第１導光体および上記第２導光体と同じ構造を有する補助導光体を有し、
上記補助導光体の長手方向が、上記第１導光体および上記第２導光体の長手方向に対し、垂直となるように、または傾くように、配置されていることを特徴とする請求項１または２に記載のウインドウ器具。
【請求項４】
請求項１から３のいずれか１項に記載のウインドウ器具と、
上記ウインドウ器具から出射された上記外光が照射される照射面に配置される蓄熱材とを備えていることを特徴とする蓄熱暖房システム。
【請求項５】
上記照射面が床、および壁の少なくともいずれか１つであることを特徴とする請求項４に記載の蓄熱暖房システム。
【発明の詳細な説明】
【技術分野】
【０００１】
本発明は、床などを効率的に温めることができるように採光するウインドウ器具に関する。
【背景技術】
【０００２】
ブラインドやカーテンといった遮光器具は、遮光機能を備えているが、開度を適度に調整することにより、所望の光量で外光を居室に採り入れることができる。このように、遮光器具は、採光も可能であることから、積極的に採光機能を活用しようとする試みもなされている。例えば、特許文献１および２には、採光を目的とした器具が開示されている。
【０００３】
特許文献１に開示されたブラインドは、透明樹脂製で板状の各スラットの表面に、断面非対称の山形状の突条をなすレンズ部を設け、当該レンズ部の山形をなす一方の面を長い緩斜面とすると共に凹レンズの一部を形成する凹曲面とし、他方の面を短い急斜面とする構造を有している。このようなブラインドでは、スラットの傾斜角度を調整することにより、居室に入る光を、レンズ部を介して屈折させて居室の任意の場所に導くことができる。
【０００４】
特許文献２に開示されたブラインドは、ブラインドの表面を傾斜面となるように形成すると共に、このブラインドの表面の角度が調整機構により調整されるように構成されている。また、この採光装置は、太陽の高度に基づいてブラインドの表面の角度を適正な角度とするように自動的に調整機構（各ブレード（スラット）を回動させる機構）を制御する制御装置を備えている。このような採光装置では、ブラインドの表面の傾斜面により太陽光を居室に反射光線として有効に採光することができる。
【先行技術文献】
【特許文献】
【０００５】
【特許文献１】特開平７−３０１０６４号公報（１９９５年１１月１４日公開）
【特許文献２】特開２０００−１７０４６７号公報（２０００年６月２０日公開）
【発明の概要】
【発明が解決しようとする課題】
【０００６】
ところで、省エネルギーの観点から、太陽光エネルギーを暖房に利用する種々の試みがなされている。外光の熱を暖房に簡易に活用するには、上記のようなブラインドにより外光を適宜採り入れることが有効である。
【０００７】
しかしながら、特許文献１および２に開示されたブラインドでは、例えば床を温めるために、各スラットの傾斜角度を外光の入射角度に応じて最適に調整しなければならない。特に、特許文献２に開示されたブラインドでは、調整機構により自動的に各スラットの傾斜角度を調整することができるが、そのために構成が複雑になる。また、床全面に外光を導くように、各スラットの角度を調整することができても、ブラインドの全面から導入するため、居室で活動する人が眩しく感じてしまう。このように、特許文献１および２に開示されたブラインドは、採光を目的として構成されているため、遮光機能が不十分であるという不都合がある。
【０００８】
しかも、特許文献１および２に開示されたブラインドでは、各スラットが、すべて同じ導入構造を有し、同じ角度で外光を透過（屈折）あるいは反射し居室へ導入するため、外光が各スラットを介して一律の角度で屈折して居室（特に床部）に導かれる。このため、例えば、図２６に示すように、床の奥の方に脚部を有するテーブルなどの障害物があると、上部のスラットから導入される光の一部がテーブルのテーブル面に遮られる。この結果、床には導入されない影の箇所が生じて、この箇所だけ温まらないことになる。
【０００９】
障害物に導入を遮られないようにするには、障害物の下側に導入されることが必要であるので、特に下側のスラットの傾斜角度を、他のスラットの傾斜角度と予め異ならせておく必要がある。このように、スラットの傾斜角度を部分的に異ならせると、各スラットを相互に連結する連結部材（ラダーコードなど）への各スラットの接続位置が均一でなくなるので、ブラインドの製造工程が複雑になるという不都合が生じる。
【００１０】
本発明は上記の問題点を解決するためになされたものであり、その目的は、外光の出射角度の調整が不要となるような簡素な構造により、外光を床などにほぼ均一に導入することを、人に眩しさを感じさせないようにして実現することができるウインドウ器具を提供することにある。
【課題を解決するための手段】
【００１１】
上記の課題を解決するために、本発明の一態様に係るウインドウ器具は、外光が入射する入射面と、入射した上記外光を室内に出射光として出射する、上記入射面に平行な出射面とを有する導光部を備えたウインドウ器具であって、上記導光部は、上記外光を異なる方向に導いて室内に出射する第１導光体および第２導光体を有し、上記第１導光体から出射される第１出射光と上記出射面がなす第１出射角は、上記外光と上記入射面がなす入射角よりも小さく、上記第２導光体から出射される第２出射光と上記出射面がなす第２出射角は、上記入射角よりも大きく、上記第１導光体は、上記ウインドウ器具の使用状態において上記第２導光体の上側に位置することを特徴とする。
【発明の効果】
【００１２】
本発明の一態様によれば、外光の出射角度の調整が不要となるような簡素な構造により、外光を床などにほぼ均一に導入することを、人に眩しさを感じさせないようにして実現することができるウインドウ器具を提供できる効果を奏する。
【図面の簡単な説明】
【００１３】
【図１】（ａ）は本発明の実施形態１に係るウインドウ器具の構成を示す正面図であり、（ｂ）は上記ウインドウ器具の構成を示す側面図である。
【図２】本発明の実施形態１に係るウインドウ器具による外光の導入の状態を示す側面図である。
【図３】図２に示すウインドウ器具が居室に外光を導入する状態を示す斜視図である。
【図４】本発明の実施形態１に係るウインドウ器具における上段のエリアに設けられる導光体の一部の構造を示す斜視図である。
【図５】上記上段のエリアに設けられる導光体の一部の構造を示す側面図である。
【図６】図２に示すウインドウ器具における下段のエリアに設けられる導光体の一部の構造を示す斜視図である。
【図７】上記下段のエリアに設けられる導光体の一部の構造を示す側面図である。
【図８】図２に示すウインドウ器具における中段のエリアに設けられる導光体の一部の構造を示す斜視図である。
【図９】上記中段のエリアに設けられる導光体の一部の構造を示す側面図である。
【図１０】図２に示すウインドウ器具による床の暖房の効果を示す斜視図である。
【図１１】本発明の実施形態２に係るウインドウ器具の構成を示す正面図である。
【図１２】図１１に示すウインドウ器具の構成を示す正面図である。
【図１３】図１１および図１２に示すウインドウ器具が居室に外光を導入する状態を示す斜視図である。
【図１４】本発明の実施形態３に係るウインドウ器具における下段のエリアに設けられる導光体の一部の構造を示す斜視図である。
【図１５】図１４に示す導光体の一部の構造を示す平面図である。
【図１６】本発明の実施形態３に係るウインドウ器具における下段のエリアに設けられる散乱体の一部の構造を示す斜視図である。
【図１７】図１６に示す散乱体の一部の構造を示す平面図である。
【図１８】本発明の実施形態３に係るウインドウ器具が居室に外光を導入する状態を示す斜視図である。
【図１９】本発明の実施形態３に係る他のウインドウ器具が居室に外光を導入する状態を示す斜視図である。
【図２０】本発明の実施形態４に係るウインドウ器具の構成を示す正面図である。
【図２１】本発明の実施形態４に係るウインドウ器具が居室に外光を導入する状態を示す斜視図である。
【図２２】図２０に示すウインドウ器具における上段のエリアに設けられる導光体の一部の構造を示す斜視図である。
【図２３】図２２に示す導光体の一部の構造を示す側面図である。
【図２４】本発明の実施形態５に係る蓄熱暖房システムの構成を示す斜視図である。
【図２５】本発明の実施形態５に係る蓄熱暖房システムの他の構成を示す斜視図である。
【図２６】従来のウインドウ器具による床の暖房の効果を示す斜視図である。
【発明を実施するための形態】
【００１４】
〔実施形態１〕
本発明の実施形態１について、図１〜図１０および図２６に基づいて説明すれば、以下のとおりである。なお、以下の図面の記載において、同一または類似の部分には同一または類似の符号が付してある。また、図１〜図２６では、紙面上側がウインドウ器具の上側となるものとして説明する。
【００１５】
（ウインドウ器具１Ａの構造）
本発明の実施形態１に係るウインドウ器具１Ａの構造について、図１の（ａ）および図１の（ｂ）を参照して説明する。図１の（ａ）は本実施形態１に係るウインドウ器具１Ａの構成を示す正面図であり、図１の（ｂ）はウインドウ器具１Ａの構成を示す側面図である。また、図２は、ウインドウ器具１Ａに外光Ｌが照射された状態を示す側面図である。さらに、図３は、図２に示すウインドウ器具１Ａが居室に外光を導入する状態を示す斜視図である。
【００１６】
ウインドウ器具１Ａは、住宅、オフィスビル等の建築物の居室に用いられる。ウインドウ器具１Ａは、窓、ブラインド、ロールカーテン等として用いることができる。
【００１７】
ウインドウ器具１Ａは、図１に示すように、支持部２および導光部３を備えている。
【００１８】
支持部２は、ウインドウ器具１Ａの上端に設けられている。支持部２は、ウインドウ器具１Ａを吊るして使用する際に、ウインドウ器具１Ａを上側から支持する。ここで、支持部２が設けられる位置は、ウインドウ器具１Ａの上端に限らず、ウインドウ器具１Ａを支持出来ればよく、例えば、ウインドウ器具１Ａの側端に設けられていてもよい。さらに、支持部２は、必須の構成ではなく、例えば、ウインドウ器具１Ａをフィルムとして窓に張り付けて用いる場合等は不要となる。
【００１９】
導光部３は、図１および図２が示すように、太陽光等の外光Ｌが入射される導光入射面４と、導光入射面４と平行である導光出射面５とを備える。また、導光出射面５は、後述する第１導光体１１、第２導光体１３および透過体１２において、導光入射面４からの最遠の点、すなわち、透過体１２の出射面１２ｂ（図８参照）を通る。
【００２０】
また、導光部３は、図１に示す通り、導光体複合部１０Ａを備える。導光体複合部１０Ａは、透過体１２を含む複数の導光体を備え、具体的には、第１導光体１１、第２導光体１３、透過体１２を備える。
【００２１】
なお、実施形態１に係るウインドウ器具１Ａにおいて、第１導光体１１が設けられた上段２１エリアと第２導光体１３が設けられた下段エリア２３の間に、透過体１２からなる中段エリア２２が設けられているが、中段エリア２２は必ずしも必要ではなく、上段エリア２１と下段エリア２３が隣接していてもよい。また、上段エリア２１と下段エリア２３の面積の広さは特に限定されず、上段エリア２１に対し、下段エリア２３が低い位置に設けられていればよい。
【００２２】
（出射光）
ここで、第１導光体１１から出射される出射光Ｍ１（第１出射光）、透過体１２から出射される出射光Ｍ２および第２導光体１３から出射される出射光Ｍ３（第２出射光）について、図２および図３に基づいて説明する。
【００２３】
上述したように、出射光Ｍ１、出射光Ｍ２、および出射光Ｍ３は、それぞれ、第１導光体１１、透過体１２および第２導光体１３から出射される。このとき、図２に示すように、導光入射面４と外光Ｌとがなす入射角θは一定である。また、第１導光体１１、透過体１２および第２導光体１３から居室に出射される出射光Ｍ１、出射光Ｍ２、および出射光Ｍ３は、入射角θに対する出射角α（第１出射角）、出射角βおよび出射角γ（第２出射角）がそれぞれ異なる。
【００２４】
ここで、入射角θとは、上述したように外光Ｌと導光入射面４とのなす角である。また、出射角α，β，γとは、それぞれ出射光Ｍ１，Ｍ２，Ｍ３と導光出射面５とのなす角である。
【００２５】
出射光Ｍ１は第１導光体１１から出射角αで出射される。出射光Ｍ２は透過体１２から出射角βで出射される。出射光Ｍ３は第２導光体１３から出射角γで出射される。出射角α、出射角βおよび出射角γは、α＜β＜γとなる。これにより、ウインドウ器具１Ａは、居室Ｒに入射される外光Ｌを天井よりも床に多く導入でき、またウインドウ器具１Ａに入射される外光Ｌをほぼ均一に床Ｆ（照射面）に導入することができる。
【００２６】
ウインドウ器具１Ａは、上述したように、上記構成を以って、外光Ｌを天井よりも床に多く集まるように居室に導入する。このように外光Ｌを導入するために、ウインドウ器具１Ａは、外光Ｌの出射角度の調整機構を必要としない。そのため、ウインドウ器具１Ａは簡素な構造により、居室内にいる人に対し眩しくならないように屋内の床へ外光Ｌを導入できる。したがって、ウインドウ器具１Ａは、何もない窓に比べて屋内にいる人に対して外光Ｌによる眩しさを軽減できる。このため、人に眩しさを感じさせないようにすることができる。
【００２７】
また、ウインドウ器具１Ａを用いない場合と比較して、外光Ｌにより床を温めることができ、暖房に用いるエネルギーを削減できる。
【００２８】
上記について、具体的に、図３に基づき説明する。
【００２９】
居室Ｒは、天井Ｃ、床Ｆ、および４面の壁Ｗで囲われる直方体の居室である。４面の壁Ｗのうちの１面にウインドウ器具１Ａが設置されている。
【００３０】
居室Ｒの床Ｆに着目すると、図３に示すように、ウインドウ器具１Ａの上段（上段エリア２１、第１導光体１１）から出射された出射光Ｍ１は、出射光Ｍ２および出射光Ｍ３よりもウインドウ器具１Ａに近い位置に達する。ウインドウ器具１Ａの下段（下段エリア２３、第２導光体１３）から出射された出射光Ｍ３は、出射光Ｍ１および出射光Ｍ２よりも、居室Ｒの奥側（ウインドウ器具１Ａから遠い位置）に達する。ウインドウ器具１Ａの中段（中段エリア２２、透過体１２）から出射された出射光Ｍ２は、出射光Ｍ１と出射光Ｍ３とが達する領域の間に達する。
【００３１】
上記構成により、ウインドウ器具１Ａは、居室Ｒに入射される外光Ｌを天井Ｃよりも床Ｆに多く導入することができる。そのため、ウインドウ器具１Ａは調整機構を必要としない簡素な構造により、外光Ｌを居室Ｒの広い範囲ではなく床Ｆにのみ照射して、人に眩しさを感じさせないようにすることができる。また、上記構成により、ウインドウ器具１Ａに入射される外光Ｌをほぼ均一に床Ｆに導入することができる。このため、床Ｆの温度のムラを小さくすることができる。より詳しくは、導光体複合部１０Ａの構造に基づき下記に説明する。
【００３２】
（導光体複合部１０Ａ）
導光体複合部１０Ａの構造について、図４〜図７を参照して説明する。上述したように、導光体複合部１０Ａは、第１導光体１１、透過体１２および第２導光体１３を有する。
【００３３】
（第１導光体１１の構造）
第１導光体１１は、導光体複合部１０Ａのウインドウ器具１Ａの上段エリア２１に位置する。第１導光体１１は、図４および図５に示すように、入射面１１ａ、複数の傾斜面１１ｂ、および複数の水平面１１ｃを有する。図４は、本実施形態に係るウインドウ器具１Ａにおける上段エリア２１に設けられる第１導光体１１の一部の構造を示す斜視図である。図５は、上段エリア２１に設けられる第１導光体１１の一部の構造を示す側面図である。
【００３４】
第１導光体１１は、屋外側（図５における左側）に入射面１１ａを有している。入射面１１ａは、鉛直方向（図５における上下方向）に伸びている。入射面１１ａは、導光入射面４と一致する。
【００３５】
また、入射面１１ａは、外光Ｌが入射するとともに、傾斜面１１ｂで反射された外光Ｌを全反射させる。第１導光体１１は居室側（図５における右側）に、ウインドウ器具１Ａの幅方向に長く形成された傾斜面１１ｂおよび水平面１１ｃを有している。
【００３６】
傾斜面１１ｂは、上端から下端に向かうにしたがって入射面１１ａから遠ざかるように傾斜している。傾斜面１１ｂの入射面１１ａに対する傾斜角は、後述のように外光Ｌを入射面１１ａへ導くように傾斜面１１ｂで全反射させる角度に設計されている。また、傾斜面１１ｂは、入射面１１ａから入射した外光Ｌを反射させる。
【００３７】
水平面１１ｃは、傾斜面１１ｂの下端から入射面１１ａの付近まで水平（図５における左右方向）に形成されている。
【００３８】
入射面１１ａには、外光Ｌが入射角θで入射される。外光Ｌは入射面１１ａにより、入射角θよりも大きな角度で屈折されて、傾斜面１１ｂに導かれ、傾斜面１１ｂにより、入射面１１ａ側に全反射される。入射面１１ａは、傾斜面１１ｂにより反射された外光Ｌを全反射させ、水平面１１ｃに導く。入射面１１ａにより全反射された外光Ｌは、出射光Ｍ１として水平面１１ｃから出射される。このとき、外光Ｌは、外光Ｌの入射角θに対する出射角αが、α＜θとなるように、水平面１１ｃにより屈折され、出射される。
【００３９】
なお、出射角αは、入射面１１ａによる出射光Ｍ１の反射角が、傾斜面１１ｂから入射面１１ａへ入射する入射角に応じて異なることから、ある範囲の大きさの角度となる。
【００４０】
上記構成により、第１導光体１１は、入射面１１ａから入射した外光Ｌを、傾斜面１１ｂにより下方の入射面１１ａ側に反射させることにより、水平面１１ｃに導く。これにより、居室Ｒにおいて出射光Ｍ２および出射光Ｍ３よりもウインドウ器具１Ａに近い位置に、上段エリア２１から出射光Ｍ１が到達する。そのため、調整機構を必要としない簡素な構造で、上段エリア２１に入射される外光Ｌにより人が眩しさを感じないようにすることができる。また、居室Ｒに入射される外光Ｌを天井Ｃよりも床Ｆに多く導入することができる。
【００４１】
また、第１導光体１１内の外光Ｌの進み方は上記に限らない。外光Ｌの入射角θに対する出射角αが、α＜θとなるように、出射光Ｍ１を水平面１１ｃから出射できばよい。
【００４２】
（第２導光体１３の構造）
図６は、本実施形態に係るウインドウ器具１Ａにおける下段エリア２３に設けられる第２導光体１３の一部の構造を示す斜視図である。図７は、下段エリア２３に設けられる第２導光体１３の一部の構造を示す側面図である。
【００４３】
第２導光体１３は、ウインドウ器具１Ａの下段エリア２３に位置する。すなわち、第２導光体１３は、ウインドウ器具１Ａの使用状態において第１導光体１１の下側に位置する。第２導光体１３は、図６および図７に示すように、入射面１３ａ、複数の傾斜面１３ｂ、および複数の水平面１３ｃを有する。
【００４４】
第２導光体１３は、屋外側（図７における左側）に入射面１３ａを有している。入射面１３ａは、鉛直方向（図７における上下方向）に伸びている。入射面１３ａは、導光入射面４と一致する。第２導光体１３は居室側（図７における右側）に、ウインドウ器具１Ａの幅方向に長く形成された傾斜面１３ｂおよび水平面１３ｃを有している。
【００４５】
傾斜面１３ｂは、下端から上端に向かうにしたがって入射面１３ａから遠ざかるように傾斜している。傾斜面１３ｂの入射面１３ａに対する傾斜角は、後述のように外光Ｌを出射角γで出射する角度に設計されている。
【００４６】
水平面１３ｃは、傾斜面１３ｂの上端から入射面１３ａの付近まで水平（図７における左右方向）に形成されている。
【００４７】
入射面１３ａには、外光Ｌが入射角θで入射される。外光Ｌは入射面１３ａにより、入射角θよりも大きな角度で屈折されて、傾斜面１３ｂに導かれ、傾斜面１３ｂにより屈折されて、出射光Ｍ３として出射される。このとき、外光Ｌは、外光Ｌの入射角θに対する出射角γが、θ＜γとなるように、傾斜面１３ｂにより屈折され、出射される。
【００４８】
上記構成により、第２導光体１３は、入射面１３ａから入射した外光Ｌを、傾斜面１３ｂから最も大きい出射角γで出射する。これにより、居室Ｒにおいて、出射光Ｍ１および出射光Ｍ２よりも居室Ｒの奥側に、下段エリア２３から出射光Ｍ３が到達する。そのため、調整を必要としない簡素な構造で居室Ｒの奥側にも外光Ｌを導入することができる。
【００４９】
なお、第２導光体１３内の外光Ｌの進み方は上記に限らない。外光Ｌの入射角θに対する出射角γが、θ＜γとなるように、出射光Ｍ３を傾斜面１３ｂから出射できばよい。
【００５０】
（透過体１２の構造）
透過体１２は、ウインドウ器具１Ａの中段エリア２２に位置する。透過体１２は、図８および図９に示すように、入射面１２ａ、および出射面１２ｂを有する。図８は、本実施形態に係るウインドウ器具１Ａにおける中段エリア２２に設けられる透過体１２の一部の構造を示す斜視図である。図９は、中段エリア２２に設けられる透過体１２の一部の構造を示す側面図である。また、入射面１２ａと導光入射面４とが、および出射面１２ｂと導光出射面５とが一致する。したがって、導光部３は、導光入射面４、導光出射面５、第１導光体１１、および第２導光体１３を備える、と言い換えることができる。
【００５１】
透過体１２は、屋外側（図９における左側）に入射面１２ａを有している。入射面１２ａは、鉛直方向（図９における上下方向）に伸びている。透過体１２は居室側（図９における右側）に、出射面１２ｂを有している。入射面１２ａと出射面１２ｂとは平坦面であり、互いに平行となるように形成されている。透過体１２は所定の厚さを有する。
【００５２】
入射面１２ａは、外光Ｌが入射角θで入射される。外光Ｌは入射面１２ａにより、入射角θよりも大きな角度で屈折されて、出射面１２ｂに導かれ、出射面１２ｂにより屈折されて、出射光Ｍ２として出射される。このとき、外光Ｌは、外光Ｌの入射角θ＝出射角βとなるように出射面１２ｂにより屈折され、出射される。すなわち、中段エリア２２から出射される出射光Ｍ２は、外光Ｌと同じ角度で進む。
【００５３】
上記構成により、透過体１２は、入射面１２ａから入射した外光Ｌを、出射角αより大きく、かつ出射角γより小さい出射角βで出射する。これにより、ウインドウ器具１Ａの中段（中段エリア２２）から出射された出射光Ｍ２は、出射光Ｍ１と出射光Ｍ３とが達する領域の間に達する。
【００５４】
ここで、例えば、外光Ｌを入射角θと同じ角度で出射する構造（透過体１２）がない場合、居室Ｒに導入される外光Ｌは、出射光Ｍ１および出射光Ｍ３のみになる。そのため、図４および図６で示すように、ウインドウ器具１Ａにおけるエリアごとに居室Ｒに導入される外光Ｌの出射角の差が大きくなる。その結果、床Ｆの中ほどへの光の導入量が、床Ｆにおけるウインドウ器具１Ａに対して近い側および遠い側への外光Ｌの導入量と比べて少なくなる。したがって、外光Ｌを入射角θと同じ角度で出射する透過体１２を有することで、床Ｆの中ほどへの外光Ｌの導入を補完する。そのため、ウインドウ器具１Ａは、ウインドウ器具１Ａに入射される外光Ｌを床Ｆの全体にほぼ均一に導入することができる。特に、ウインドウ器具１Ａにおけるエリア数が少なければ少ないほど、外光Ｌを入射角θと同じ角度で出射する構造を有する効果が大きくなる。
【００５５】
なお、透過体１２内の外光Ｌの進み方は上記に限らない。外光Ｌの入射角θ＝出射角βとなるように、出射光Ｍ２を出射面１２ｂから出射できばよい。
【００５６】
また、透過体１２、第１導光体１１および第２導光体１３から出射される出射光には、ウインドウ器具１Ａ内の乱反射によって、出射光Ｍ１〜Ｍ３とは異なる方向に進む微量な出射光が存在する。以降、各実施形態において、本発明の特徴に関わらないウインドウ器具内の乱反射による微量な出射光の出射については説明を省略する。
【００５７】
（暖房効果）
ウインドウ器具１Ａを用いて外光Ｌを導入した場合の暖房効果について、図１０および図２６を参照して説明する。図１０はウインドウ器具１Ａによる床Ｆの暖房の効果を示す斜視図である。図２６は、従来のウインドウ器具１００による床Ｆの暖房の効果を示す斜視図である。
【００５８】
外光Ｌは床Ｆ等の構造物に導入されることで（外光Ｌにより床Ｆ等の構造物が照射されることで）、太陽光エネルギーにより該構造物を温める。
【００５９】
ブラインドのような従来のウインドウ器具１００は、外光Ｌをそのまま透過させるので、床Ｆ以外の壁Ｗにも光を導く。そのため、ウインドウ器具１Ａは、ウインドウ器具１００と比較して、床Ｆへ無駄なく光を照射するので、多く外光Ｌを床Ｆに導入でき、床Ｆを効率的に温めることができる。したがって、ウインドウ器具１Ａは、ウインドウ器具１００と比較して、高い暖房効果を奏する。
【００６０】
また、ウインドウ器具１００は、外光Ｌをそのまま透過させるため、図２６に示すように、ウインドウ器具１００の上段、中段および下段の全てのエリアで、入射角θと同じ角度で出射光Ｚを出射する。
【００６１】
そのため、テーブルＴ等の障害物に出射光Ｚが当たると床Ｆに障害物の影が形成される。床Ｆにおいて、影が形成される部分には出射光Ｚが当たらず、暖まらない。また、仮に、ウインドウ器具１００の上段のエリアから、ウインドウ器具１００から遠い側に外光Ｌを導入する構造をウインドウ器具１００が有している場合でも、テーブルＴ等の障害物に出射光Ｚが当たることにより床Ｆに影が形成される部分には出射光Ｚが当たらず、床Ｆは暖まらない。
【００６２】
それに対し、本実施形態１に係るウインドウ器具１Ａの構造によれば、図１０に示すように、下段エリア２３から出射される出射光Ｍ３は、テーブルＴの下を通り、さらに奥側へと導入することができる。そのため、出射光Ｍ１または出射光Ｍ２がテーブルＴ等の障害物があったとしても、床Ｆ全体を温めることができる。
【００６３】
また、ウインドウ器具１Ａは、ウインドウ器具１Ａに入射される外光Ｌを床Ｆの全体にほぼ均一に導入することができる。そのため、ウインドウ器具１Ａは、ウインドウ器具１Ａに入射される外光Ｌにより温められる床Ｆの温度のムラを小さくすることができる。
【００６４】
なお、居室Ｒは直方体として説明したが、上記に限られない。居室Ｒは用途に応じて形を変更することができる。
【００６５】
また、本実施形態では、上下方向に３つのエリアに分かれているウインドウ器具１Ａについて説明したが、上記に限らない。居室の部屋の大きさに応じて、ウインドウ器具１Ａは、少なくとも上下方向に２つ以上のエリアに分かれていればよく、４つ以上のエリアに分かれていてもよい。
【００６６】
２つのエリアに分かれている場合、第１導光体１１を含む上段エリア２１と第２導光体１３を含む下段エリア２３が隣接している。
【００６７】
また、４つ以上のエリアに分かれている場合、第１導光体１１を上下２つに分けてもよい。２つに分けた第１導光体１１のうち、ウインドウ器具１Ａの上端側の第１導光体１１の出射光の出射角を出射角α１、下端側の第１導光体１１の出射光の出射角を出射角α２としたとき、α１＜α２となるようにすればよい。
【００６８】
さらに、広い部屋に本発明のウインドウ器具１Ａを採用する際は、数段階の出射角を備える出射光が出射されるよう、第１導光体１１および第２導光体１３の大きさあるいは、傾斜面の傾斜角度を適宜変更してもよい。
【００６９】
さらに、上段エリア２１、中段エリア２２および下段エリア２３の各面積は、同じであっても異なっていてもよく、適宜設定できる。
【００７０】
〔実施形態２〕
本発明の実施形態２について、図１１〜図１３に基づいて説明すれば、以下のとおりである。なお、説明の便宜上、前記実施形態にて説明した部材と同じ機能を有する部材については、同じ符号を付記し、その説明を省略する。
【００７１】
実施形態１に係るウインドウ器具１Ａは、ウインドウ器具１Ａに入射される外光Ｌを天井Ｃよりも床Ｆに多く導入する。そのため、居室Ｒに導入される外光Ｌの量によっては床Ｆが熱くなりすぎる場合がある。
【００７２】
それに対し、本実施形態２に係るウインドウ器具１Ｂは、ウインドウ器具１Ｂの所定のエリアに入射される外光Ｌを天井Ｃおよび床Ｆよりもウインドウ器具１Ｂが設置されている壁Ｗの両端に存在（隣接）する壁Ｗ（以降側壁Ｗ１と称する、図１３参照）に多く導入する構造をさらに備える。
【００７３】
上記構成により、床Ｆに加え、側壁Ｗ１にも外光Ｌを導入することができる。そのため、居室Ｒに導入される外光Ｌの量による過剰な床Ｆの温度上昇を抑えることができる。また、床Ｆだけではなく、側壁Ｗ１も温めることが可能となり、居室Ｒの暖房効果を高めることができる。以下に詳しく説明する。
【００７４】
（ウインドウ器具１Ｂの構造）
ウインドウ器具１Ｂの構造について、図１１〜図１３を参照して説明する。図１１は本発明の実施形態２に係るウインドウ器具１Ｂの構成を示す正面図である。
【００７５】
ウインドウ器具１Ｂにおける導光体複合部１０Ｂは、図１１に示すように、床側出射エリア３１を備え、その両端に壁側出射エリア３２を備える。図１２は、図１１に示すウインドウ器具１Ｂの構成を示す正面図である。
【００７６】
壁側出射エリア３２は、図示しないが、例えば、図１１における右側において、図１の（ａ）におけるウインドウ器具１Ａの導光体複合部１０Ａの透過体１２を除いたもの、すなわち、側壁Ｗ１に外光Ｌを導くように、第１導光体１１および第２導光体１３を、それぞれの長手方向が鉛直方向（垂直方向）となるような構成を持つ（補助導光体）。なお、第１導光体１１および第２導光体１３は、それぞれの長手方向が鉛直方向となる以外にも、側壁Ｗ１に外光Ｌを導くことができれば、それぞれの長手方向が鉛直方向に対して傾斜していてもよい。
【００７７】
このとき、壁側出射エリア３２において、透過体１２に対応する箇所からは、図１３に示すように、出射光Ｎ１が側壁Ｗ１に出射される。壁側出射エリア３２において、第２導光体１３に対応する箇所からは、出射光Ｎ２が側壁Ｗ１に出射される。出射光Ｎ１は、出射光Ｎ２よりもウインドウ器具１Ｂに近い位置に出射されている。出射光Ｎ２は、出射光Ｎ１よりも居室Ｒの奥側に出射されている（導光機能）。図１３は、図１１および図１２に示すウインドウ器具１Ｂが居室に外光Ｌを導入する状態を示す斜視図である。
【００７８】
上記構成により、壁側出射エリア３２に入射される外光Ｌは、側壁Ｗ１に導入される。言い換えると、壁側出射エリア３２に入射される外光Ｌが照射する対象は側壁Ｗ１である。
【００７９】
床側出射エリア３１は、図１２に示すように、少なくとも実施形態１に係るウインドウ器具１Ａに含まれる上段エリア２１、中段エリア２２および下段エリア２３を備え、さらに壁側出射エリア３３を備える。壁側出射エリア３３は、中段エリア２２の中央に、上段エリア２１と下段エリア２３とをつなぐように形成される。
【００８０】
床側出射エリア３１は、上段エリア２１、中段エリア２２および下段エリア２３から、それぞれ、出射光Ｍ１、出射光Ｍ２および出射光Ｍ３が出射される。したがって、上段エリア２１、中段エリア２２および下段エリア２３に入射される外光Ｌは、外光Ｌが天井Ｃよりも床Ｆに多く導入される。また、上段エリア２１、中段エリア２２および下段エリア２３に入射される外光Ｌは、床Ｆの全体にはほぼ均一に導入される。
【００８１】
壁側出射エリア３３は、壁側出射エリア３２と同じ構成を有する。そのため、壁側出射エリア３３に入射される外光Ｌは天井Ｃおよび床Ｆよりも側壁Ｗ１に多く導入される。なお、壁側出射エリア３３に入射される外光Ｌは、ウインドウ器具１Ｂが設置されている壁Ｗの両端に隣接する壁Ｗ（側壁Ｗ１）のどちらに導入されてもよい。
【００８２】
以上により、ウインドウ器具１Ｂにおいて、床側出射エリア３１の一部（上段エリア２１、中段エリア２２および下段エリア２３）に入射される外光Ｌは、天井Ｃよりも床Ｆに多く導入される。また、床側出射エリア３１の一部（壁側出射エリア３３）および壁側出射エリア３２に入射される外光Ｌは、天井Ｃおよび床Ｆよりも側壁Ｗ１に多く導入される。
【００８３】
上記構成により、ウインドウ器具１Ｂは、床Ｆに加え、側壁Ｗ１にも外光Ｌを導入することができる。そのため、居室Ｒに導入される外光Ｌの量による過剰な床Ｆの温度上昇を抑えることができる。
【００８４】
なお、壁側出射エリア３２および壁側出射エリア３３は、上記の構成に限らず、第１導光体１１を含んでもよい。また、床側出射エリア３１の構成は上記に限らず、ウインドウ器具１Ａの構成のみを有していてもよい。
【００８５】
さらに、壁側出射エリア３２および壁側出射エリア３３の位置は上記に限定されない。導光体複合部１０Ａのどこに位置していてもよい。また、床側出射エリア３１および壁側出射エリア３２の各面積は、同じであっても異なっていてもよく、適宜設定できる。
【００８６】
（暖房効果）
ウインドウ器具１Ｂを用いて外光Ｌを居室Ｒに導入した場合の暖房効果について、図１３を参照して説明する。
【００８７】
ウインドウ器具１Ｂの構造によれば、図１３に示すように、床側出射エリア３１の上段エリア２１、中段エリア２２、および下段エリア２３からは、出射光Ｍ１、出射光Ｍ２、および出射光Ｍ３が出射される。上記構成により、上段エリア２１、中段エリア２２、および下段エリア２３に入射される外光Ｌは床Ｆの全体にほぼ均一に導入される。
【００８８】
このため、ウインドウ器具１Ｂは、ウインドウ器具１Ｂに入射される外光Ｌにより床Ｆを均一に温めることができる。
【００８９】
さらに、壁側出射エリア３２および壁側出射エリア３３からは、出射光Ｎ１および出射光Ｎ２が出射される。
【００９０】
このため、壁側出射エリア３２および壁側出射エリア３３に入射される外光Ｌは、天井Ｃおよび床Ｆよりも側壁Ｗ１に多く導入される。また、壁側出射エリア３２および壁側出射エリア３３に入射される外光Ｌは側壁Ｗ１に導入される。
【００９１】
上記構成により、ウインドウ器具１Ｂは、床Ｆだけではなく、側壁Ｗ１も温めることが可能となり、ウインドウ器具１Ａと比較し、居室Ｒの暖房効果を高めることができる。また居室Ｒに導入される外光Ｌの量による過剰な床Ｆの温度上昇を抑えることができる。
【００９２】
〔実施形態３〕
本発明の実施形態３について、図１４〜図１９に基づいて説明すれば、以下のとおりである。なお、説明の便宜上、前記実施形態１および２にて説明した部材と同じ機能を有する部材については、同じ符号を付記し、その説明を省略する。
【００９３】
実施形態１に係るウインドウ器具１Ａでは、外光Ｌが、第１導光体１１、透過体１２および第２導光体１３から、それぞれ出射角α，β，γの方向に向きを変えて、出射光Ｍ１、出射光Ｍ２および出射光Ｍ３として出射されるが、側方に向きが変わることはない。そのため、床Ｆにおいて、外光Ｌが入射して出射光Ｍ１〜Ｍ３が直接当たる部分の温度は上がりやすいが、外光Ｌが入射しないために出射光Ｍ１〜Ｍ３が直接当たらない部分は影となり、温度が上がらない。
【００９４】
それに対し、本実施形態３に係るウインドウ器具１Ｃは、出射光を散乱させる散乱構造をさらに備える。
【００９５】
上記構成により、床Ｆや側壁Ｗ１の広い範囲に出射光Ｍ３を散乱させて出射することができる。そのため、外光Ｌの入射状態の違いによる床Ｆおよび側壁Ｗ１の温度上昇のムラを軽減することがきる。以下に詳しく説明する。
【００９６】
（ウインドウ器具１Ｃの構造）
ウインドウ器具１Ｃは、ウインドウ器具１Ａにさらに散乱構造を備える。言い換えると、ウインドウ器具１Ｃは、導光部３に散乱構造（図示なし）を備える。散乱構造について詳しくは後述する。
【００９７】
（散乱構造）
本実施形態に係る散乱構造について、図１４〜図１７を参照し説明する。
【００９８】
まず、ウインドウ器具１Ｃが、ウインドウ器具１Ａにさらに散乱構造を備えるものであった場合について、図１４に基づき、ウインドウ器具１Ｃにおける下段エリア２３に設けられる第３導光体１５を例に挙げて説明する。図１４は、本実施形態に係るウインドウ器具１Ｃにおける下段のエリアに設けられる第３導光体１５の一部の構造を示す斜視図である。図１５は、図１４に示す第３導光体１５の構造を示す平面図である。
【００９９】
第３導光体１５は、第２導光体１３と同様に、入射面１３ａ、および水平面１３ｃを有する。また、第３導光体１５は、第２導光体１３の傾斜面１３ｂの代わりに、散乱面１３ｄを有する。
【０１００】
散乱面１３ｄは、入射面１３ａから導かれた外光Ｌを出射光Ｍ３として出射する。散乱面１３ｄは、複数の同形の半円筒状の部分が連なった構造を有する。これにより、散乱面１３ｄは、出射光Ｍ３を散乱させる。詳しくは、散乱面１３ｄからは、図７に示す第２導光体１３における出射光Ｍ３が出射される方向（図１５の上方視における直進方向）だけに出射光Ｍ３が出射されるのではなく、図１５の上方視における直進方向に対して広がる方向（直進方向に対して水平方向）にも出射光Ｍ３が出射される。
【０１０１】
第３導光体１５では、導光構造と散乱構造が一体となっている。これにより、導光構造と散乱構造を同時に作製できるので、散乱構造を有する第３導光体１５を一度の成型（あるいは加工）で作製することができる。
【０１０２】
また、第３導光体１５では、散乱構造は第３導光体１５の一部となっているが、散乱構造は第２導光体１３と散乱体１４との組み合わせとしてもよい。上記組合せによる散乱構造について、図１６および図１７を参照して説明する。図１６は、本実施形態に係るウインドウ器具１Ｃにおける下段のエリアに設けられる散乱体１４の一部の構造を示す斜視図である。図１７は、図１６に示す散乱体１４の一部の構造を示す平面図である。
【０１０３】
散乱体１４は、図１６に示すように、第２導光体１３の光出射側に配置されており、入射面１４ａおよび散乱面１４ｂを有する。
【０１０４】
散乱体１４は、第２導光体１３側に入射面１４ａを有している。入射面１４ａは、第２導光体１３の入射面１３ａと平行である。散乱体１４は、第２導光体１３とは反対側に散乱面１４ｂを有している。散乱面１４ｂは、複数の同形の半円筒状の部分が連なった構造を有する。これにより、散乱面１４ｂは、出射光Ｍ３を散乱させる。詳しくは、散乱面１４ｂからは、図７に示す第２導光体１３における出射光Ｍ３が出射される方向（図１７の上方視における直進方向）だけに出射光Ｍ３が出射されるのではなく、図１７の上方視における直進方向に対して広がる方向にも出射光Ｍ３が出射される。
【０１０５】
散乱体１４は、導光構造と散乱構造とが一体ではないので、導光構造および散乱構造を別々に作製したのち、張り合わせることで作製することができる。
【０１０６】
ウインドウ器具１Ｃは、散乱構造（散乱面１３ｄもしくは散乱体１４）により、実施形態１に係るウインドウ器具１Ａと比較して、出射光Ｍ３を床Ｆの広い範囲に出射することができる。具体的には、例えば、外光Ｌが、雲等の障害物により遮られることで下段エリア２３の全体ではなく一部だけに入射した場合であっても、出射光Ｍ３を広い範囲に出射することができるので、ウインドウ器具１Ｃに入射される外光Ｌは床Ｆの全体にほぼ均一に導入される。
【０１０７】
また、実施形態１に係るウインドウ器具１Ａのように散乱構造がない場合では、太陽の移動（方角の変化）により、床Ｆに出射光Ｍ３が照射される部分と照射されない影の部分とが生じる場合がある。そのような場合であっても、本実施形態に係るウインドウ器具１Ｃのように散乱構造を用いることで、ウインドウ器具１Ｃに入射される外光Ｌは長時間にわたって床Ｆの全体にほぼ均一に導入される。これにより、外光Ｌの入射角度が変わっても床Ｆもしくは側壁Ｗ１に影を生じさせないようにすることができる。その結果、人が素足で居室Ｒを歩いた時の床Ｆの温暖差による不快感などを軽減することができる。
【０１０８】
なお、図示しないが、ウインドウ器具１Ｃの下段エリア２３だけではなく、上段エリア２１および中段エリア２２も同様に散乱構造を有する。そのため、上段エリア２１および中段エリア２２から出射される出射光Ｍ１および出射光Ｍ２においても、床Ｆの広い範囲に出射することができる。
【０１０９】
また、ウインドウ器具１Ｃが、ウインドウ器具１Ｂにさらに散乱構造を備えるものである場合は、実施形態２に係るウインドウ器具１Ｂと比較して、出射光Ｎ１および出射光Ｎ２も側壁Ｗ１の広い範囲に出射することができる。このとき、出射光Ｎ１および出射光Ｎ２は、鉛直方向（図１９における上下方向）に広がる。したがって、ウインドウ器具１Ｃが、ウインドウ器具１Ｂにさらに散乱構造を備えるものである場合は、ウインドウ器具１Ｃがウインドウ器具１Ａにさらに散乱構造を備えるものである場合の効果に加え、側壁Ｗ１においても同様の効果を奏する。
【０１１０】
また、本実施形態では、前述のように、第２導光体１３に散乱構造を適用する例について説明したが、第１導光体１１および透過体１２に同様の散乱構造を適用してもよいことは勿論である。
【０１１１】
（暖房効果）
ウインドウ器具１Ｃを用いて外光Ｌを居室Ｒに導入した場合の暖房効果について、図１８および図１９を参照して説明する。図１８は、本実施形態３に係るウインドウ器具１Ｃが居室Ｒに外光Ｌを導入する状態を示す斜視図である。図１８のウインドウ器具１Ｃは、ウインドウ器具１Ａにさらに散乱構造を備えたものである。図１９は本実施形態３に係る他のウインドウ器具１Ｃが居室に外光Ｌを導入する状態を示す斜視図である。図１９のウインドウ器具１Ｃは、ウインドウ器具１Ｂにさらに散乱構造を備えたものである。
【０１１２】
ウインドウ器具１Ｃが、ウインドウ器具１Ａにさらに散乱構造を備えるものであった場合、図１８示すように、実施形態１に係るウインドウ器具１Ａと比較して、出射光Ｍ１〜Ｍ３が床Ｆの広い範囲に出射されている。そのため、外光Ｌの入射状態の変化によらず、床Ｆ全体をほぼ均一に温めることができる。また、外光Ｌの入射状態の違いによる床Ｆの温度上昇のムラをさらに軽減することがきる。その結果、人が素足で居室Ｒを歩いた時の床Ｆの温暖差による不快感を軽減することができる。
【０１１３】
ウインドウ器具１Ｃが、ウインドウ器具１Ｂにさらに散乱構造を備えるものであった場合、図１９示すように、実施形態２に係るウインドウ器具１Ｂと比較して、（１）出射光Ｍ１〜Ｍ３が広い範囲で床Ｆに出射され、（２）出射光Ｎ１および出射光Ｎ２が広い範囲で側壁Ｗ１に出射されている。そのため、外光Ｌの入射状態の変化によらず、床Ｆおよび側壁Ｗ１全体をほぼ均一に温めることができる。また、外光Ｌの入射状態の違いによる床Ｆおよび側壁Ｗ１の温度上昇のムラを軽減することがきる。
【０１１４】
〔実施形態４〕
本発明の実施形態４について、図２０〜図２３に基づいて説明すれば、以下のとおりである。なお、説明の便宜上、前記実施形態１〜３にて説明した部材と同じ機能を有する部材については、同じ符号を付記し、その説明を省略する。
【０１１５】
実施形態１に係るウインドウ器具１Ａは、ウインドウ器具１Ａに入射される外光Ｌを天井Ｃよりも床Ｆに多く導入する。そのため、外光Ｌによる十分な照明効果は得られない。
【０１１６】
それに対し、本実施形態４に係るウインドウ器具１Ｄは、ウインドウ器具１Ｄの所定のエリアに入射される外光Ｌを床Ｆよりも天井Ｃに多く導入する構造をさらに備える。
【０１１７】
上記構成により、床Ｆの暖房効果と同時に、天井Ｃからの反射光により、照明効果も得ることができる。以下に詳しく説明する。
【０１１８】
（ウインドウ器具１Ｄの構造）
ウインドウ器具１Ｄの構造について、図２０および図２１を参照して説明する。図２０は本実施形態に係るウインドウ器具１Ｄの構成を示す正面図である。図２１は、本発明の実施形態４に係るウインドウ器具１Ｄが居室に外光を導入する状態を示す斜視図である。
【０１１９】
ウインドウ器具１Ｄにおける導光体複合部１０Ｄは、図２０に示すように、上部（図２０において上側）に天井側出射エリア４１を備え、下部（図２０において下側）に床側出射エリア５１を備える。
【０１２０】
床側出射エリア５１は、例えば、実施形態１に係るウインドウ器具１Ａに含まれる上段エリア２１、中段エリア２２および下段エリア２３を備える。そのため、上段エリア２１、中段エリア２２および下段エリア２３からは、それぞれ、図２１に示すように、出射光Ｍ１、出射光Ｍ２および出射光Ｍ３が出射される。
【０１２１】
そのため、床側出射エリア５１に入射される外光Ｌは、天井Ｃよりも床Ｆに多く導入される。また、床側出射エリア５１に入射される外光Ｌは、床Ｆの全体にほぼ均一に導入される。
【０１２２】
また、天井側出射エリア４１に入射される外光Ｌは、床Ｆよりも天井Ｃに多く導入される。このとき、天井側出射エリア４１からは、出射光Ｐ１、出射光Ｐ２、および出射光Ｐ３が居室Ｒに出射される。出射光Ｐ１、出射光Ｐ２、および出射光Ｐ３について詳しくは後述する。
【０１２３】
なお、天井側出射エリア４１および床側出射エリア５１の各面積は、同じであっても異なっていてもよく、適宜設定できる。例えば、床Ｆへの外光Ｌの導入を優先する場合は、床側出射エリア５１の割合を大きくすればよく、逆に天井Ｃへの外光Ｌの導入を優先する場合は天井側出射エリア４１の割合を大きくしてもよい。天井側出射エリア４１および床側出射エリア５１の各面積の割合を変更することで、床Ｆの暖房効果と天井Ｃの照明効果の割合を変えて設計することができる。
【０１２４】
（出射光）
出射光Ｐ１、出射光Ｐ２、および出射光Ｐ３について、図２１に基づいて説明する。
【０１２５】
出射光Ｐ１、出射光Ｐ２、および出射光Ｐ３は、それぞれ、天井側出射エリア４１における上段のエリア、中段のエリアおよび下段のエリアから出射されている。
【０１２６】
居室Ｒの天井Ｃに着目すると、図２１に示すように、天井側出射エリア４１の上段のエリアから出射された出射光Ｐ１が、出射光Ｐ２および出射光Ｐ３よりもウインドウ器具１Ｄに近い位置に到達している。また、天井側出射エリア４１の下段のエリアから出射された出射光Ｐ３が、出射光Ｐ１および出射光Ｐ２よりも、ウインドウ器具１Ｄから遠い位置に到達している。さらに、天井側出射エリア４１の中段エリアから出射された出射光Ｐ２が、出射光Ｐ１と出射光Ｐ３とが達する領域の間に、到達している。したがって、天井側出射エリア４１に入射される外光Ｌは床Ｆよりも天井Ｃに多く導入される。また、天井側出射エリア４１に入射される外光Ｌは天井Ｃの全体にほぼ均一に導入される。
【０１２７】
上記構成により、天井Ｃからの反射光により、照明効果を得ることができる。天井側出射エリア４１が有する導体構造より詳しくは、下記に説明する。
【０１２８】
（第４導光体１６の構造）
天井側出射エリア４１が有する導体構造について、天井側出射エリア４１の上段のエリアに設けられる第４導光体１６を例に挙げて、図２２および図２３を参照して説明する。
図２２は、図２０に示すウインドウ器具１Ｄにおける上段のエリアに設けられる第４導光体１６の一部の構造を示す斜視図である。図２３は、図２２に示す第４導光体１６の一部の構造を示す側面図である。
【０１２９】
第４導光体１６は、図２２および図２３に示すように、複数の水平面１６ａ、複数の湾曲面１６ｂ、および出射面１６ｃを有する。
【０１３０】
第４導光体１６は、居室側（図２３における右側）に出射面１６ｃを有している。出射面１６ｃは、鉛直方向（図２３における上下方向）に伸びている。出射面１６ｃは、導光出射面５と一致する。第４導光体１６は、屋外側（図２３における左側）に、ウインドウ器具１Ｄの幅方向に長く形成された水平面１６ａおよび湾曲面１６ｂを有する。水平面１６ａは水平（図２３における左右方向）に形成されている。湾曲面１６ｂは、水平面１６ａの端部から出射面１６ｃに向かって下方に湾曲状に傾斜するように形成されている。水平面１６ａと湾曲面１６ｂとを上下に複数配置することにより、屋外側に突出した凸部が形成される。
【０１３１】
また、水平面１６ａは入射した外光Ｌを湾曲面１６ｂ側に屈折させる。湾曲面１６ｂは、湾曲面１６ｂに直接入射した外光Ｌを、入射位置に関わらず同じ方向で出射面１６ｃに進むように屈折するとともに、水平面１６ａにより屈折した外光Ｌを、上記の屈折光と同じ方向で出射面１６ｃに進むように反射させる。これにより、出射面１６ｃのいずれの位置から出射される出射光Ｐ１も、同じ出射角δで出射される。
【０１３２】
具体的に、上記のように構成される第４導光体１６においては、水平面１６ａおよび湾曲面１６ｂに外光Ｌが入射角θで入射される場合について説明する。
【０１３３】
湾曲面１６ｂに外光Ｌが入射された場合、外光Ｌは湾曲面１６ｂにより、屈折され、出射面１６ｃに導かれる。湾曲面１６ｂから導かれた外光Ｌは、出射光Ｐ１として出射面１６ｃから出射される。このとき、外光Ｌは、出射角δが、９０°よりも大きくなるように出射面１６ｃにより屈折され、出射される。
【０１３４】
水平面１６ａに外光Ｌが入射された場合、外光Ｌは水平面１６ａにより、入射角θよりも大きな角度で屈折され、湾曲面１６ｂに導かれて、湾曲面１６ｂにより反射されて、湾曲面１６ｂから出射面１６ｃに導かれる。出射面１６ｃに達した外光Ｌは、出射光Ｐ１として出射面１６ｃから出射される。このとき、外光Ｌは、水平面１６ａから入射された外光Ｌと同じく、９０°よりも大きな出射角δで出射される。
【０１３５】
また、天井側出射エリア４１の上段のエリアだけではなく、中段のエリアおよび下段のエリアに設けられている導光構造も、第４導光体１６と同様の構造を有する。上述したように、出射光Ｐ１、出射光Ｐ２、および出射光Ｐ３は、それぞれ、天井側出射エリア４１における上段のエリア、中段のエリアおよび下段のエリアから出射されている。このとき、図示しないが、出射光Ｐ１〜Ｐ３のそれぞれの出射角δおよび出射角δ２〜δ３は、出射角δ＞出射角δ２＞出射角δ３、となる。
【０１３６】
上記構成により、天井側出射エリア４１に入射される外光Ｌは、床Ｆよりも天井Ｃに多く導入される。また、天井側出射エリア４１の上段のエリアから出射された出射光Ｐ１は、出射光Ｐ２および出射光Ｐ３よりもウインドウ器具１Ｄに近い位置に到達する。天井側出射エリア４１の下段のエリアから出射された出射光Ｐ３は、出射光Ｐ１および出射光Ｐ２よりもウインドウ器具１Ｄから遠い位置に到達する。天井側出射エリア４１の中段のエリアから出射された出射光Ｐ２は、出射光Ｐ１と出射光Ｐ３とが達する領域の間に到達する。そのため、天井側出射エリア４１に入射される外光Ｌは天井Ｃの全体にほぼ均一に導入される。その結果、天井Ｃからの反射光により、照明効果を得ることができる。
【０１３７】
なお、ウインドウ器具１Ａ〜１Ｄは、上述したように、例えば、窓、ブラインド、または、巻き取りおよび収納ロールカーテン等として利用してもよい。
【０１３８】
また、第４導光体１６は、さらに散乱構造を有するものであってもよい。これにより、天井Ｃの広い範囲に出射光Ｐ１、出射光Ｐ２および出射光Ｐ３を出射することができる。そのため、天井Ｃの温度上昇のムラを軽減することがきる。
【０１３９】
ウインドウ器具１Ａ〜１Ｄを窓として利用する場合、例えば、ガラスに本発明で示す構造を成型（あるいは加工）し、当該ガラスを該窓として利用してもよい。また、二重窓の片方の窓に当該窓を採用してもよい。
【０１４０】
窓の材料としては、例えば、ガラスおよび透光性を有する樹脂等を採用できる。また、本発明で示す構造を窓ガラスに貼り付けることで利用してもよい。
【０１４１】
ウインドウ器具１Ａ〜１Ｄをブラインドとして利用する場合、例えば、網戸のようにスライドさせて、内側もしくは外側で窓ガラスを覆うようにして利用してもよい。
【０１４２】
〔実施形態５〕
本実施形態では、実施形態１〜４のいずれかにて説明したウインドウ器具１Ａ〜１Ｄを含む蓄熱暖房システムについて図２４および図２５に基づいて説明する。なお、説明の便宜上、前記実施形態１〜４にて説明した部材と同じ機能を有する部材については、同じ符号を付記し、その説明を省略する。
【０１４３】
（畜熱暖房システム）
まず、本実施形態に係る蓄熱暖房システムＳ１について説明する。蓄熱暖房システムＳ１は、図２４および図２５に示すように、ウインドウ器具１Ａまたはウインドウ器具１Ｃが設置された居室Ｒの床Ｆまたは床Ｆおよび側壁Ｗ１の両方に蓄熱材６が含まれている。図２４は、本実施形態５に係る蓄熱暖房システムＳ１の構成を示す斜視図であり、ウインドウ器具１Ａが設置された居室Ｒの床Ｆに、蓄熱材６が含まれている蓄熱暖房システムＳ１を示す。図２５は、本実施形態５に係る蓄熱暖房システムＳ１の他の構成を示す斜視図であり、散乱構造を備えるウインドウ器具１Ｂを有するウインドウ器具１Ｃが設置された居室Ｒの床Ｆおよび側壁Ｗ１の両方に、蓄熱材６が含まれている蓄熱暖房システムＳ１を示す。
【０１４４】
蓄熱材６は、屋外から床Ｆまたは側壁Ｗ１に導入された外光Ｌによる太陽光エネルギーを蓄積する。蓄熱材６は、蓄熱した太陽光エネルギーと居室Ｒの空気の熱エネルギーとを熱交換する。
【０１４５】
上記構成により、蓄熱材６は、居室Ｒの空気を蓄熱材６に蓄熱した外光Ｌによる太陽光エネルギーにより温めることができる。また、蓄熱材６に蓄熱した太陽光エネルギーを利用するので、日照後であっても一定時間暖房効果を持続し、暖房エネルギーの削減が可能となる。特に、日照中は家にだれもおらず、帰宅する日照後に暖房を必要とするライフパターンの家庭においては、このような蓄熱暖房システムＳ１を利用することにより、暖房エネルギーを削減できる。
【０１４６】
蓄熱材６の材料は特に限定されないが、外光Ｌによる太陽光エネルギーと居室Ｒの空気とが熱交換できるように、蓄熱・放熱自在な潜熱蓄熱材とすることが望ましい。蓄熱材６を潜熱蓄熱材とする場合は、蓄熱材６を、例えば２０℃前後の温度において相変態可能となるように設定することにより、熱の吸収・排出量を大きく確保することができる。
【０１４７】
蓄熱材６の材料は、例えば、塩化カルシウム水和物と水との混合物、低融点の各種プラスチック、パラフィン類、ワックスなどの熱の吸収・放出に伴って相変態する潜熱を利用する物質、石材、各種金属、および、セメント板のように単に顕熱を利用する物質、などを適宜選択することができる。
【０１４８】
蓄熱材６を顕熱利用とする場合は、洩れ出す等のトラブルを確実に防止することができる。
【０１４９】
なお、本実施形態では、ウインドウ器具１Ａ〜１Ｄが壁Ｗに設置されている場合について説明したが、上記組合せに限定されず、適宜設定することができる。例えば、ウインドウ器具１Ａ〜１Ｄを適宜組合せて該ウインドウ器具の周囲４方向（上下左右）に外光Ｌを居室Ｒに導入できるようにし、該ウインドウ器具を天井Ｃ（天窓等）に設置し、蓄熱材６を居室Ｒの壁Ｗすべてに備える組合せとしてもよい。上記組合せにより、さらに暖房効果の高い蓄熱暖房システムＳ１を提供できる。
【０１５０】
〔まとめ〕
本発明の態様１に係るウインドウ器具（１Ａ〜１Ｄ）は、外光（Ｌ）が入射する入射面（導光入射面４）と、入射した上記外光を室内に出射光として出射する、上記入射面に平行な出射面（導光出射面５）とを有する導光部（３）を備えたウインドウ器具であって、上記導光部は、上記外光を異なる方向に導いて室内に出射する第１導光体（１１）および第２導光体（１３）を有し、上記第１導光体から出射される第１出射光（Ｍ１）と上記出射面がなす第１出射角（α）は、上記外光と上記入射面がなす入射角（θ）よりも小さく、上記第２導光体から出射される第２出射光（Ｍ３）と上記出射面がなす第２出射角（γ）は、上記入射角よりも大きく、上記第１導光体は、上記ウインドウ器具の使用状態において上記第２導光体の上側に位置する。
【０１５１】
上記の構成によれば、ウインドウ器具に入射される外光は、第１導光体により第１出射角で出射されてウインドウ器具の近くの領域に照射され、第２導光体により第２出射角で出射されてウインドウ器具から遠い領域に照射される。これにより、屈折角度の調整機構を用いずに、天井よりも床に多く集まるように室内に導入される。そのため、ウインドウ器具は簡素な構造により、屋内にいる人に対し眩しくならないように屋内の床へ光を導入できる。したがって、ウインドウ器具は、上記構成を有さない窓に比べて屋内にいる人に対して眩しさを軽減できる。このため、人に眩しさを感じさせないようにすることができる。
【０１５２】
また、導入する光により、ウインドウ器具を用いない場合と比較して、より床を温めることができ、暖房に用いるエネルギーを削減できる。
【０１５３】
また、第１導光体または第２導光体以外の入射面に入射される外光は入射したときと同じ角度で室内に出射される。これにより、導光部において第１導光体または第２導光体以外の箇所は、外光の角度を変えるための構造を有する必要がなく平板の透光性の部材で構成することができる。また、導光部において、第１導光体または第２導光体の設置位置を調整することで、広い部屋もしくは狭い部屋に対応し、広い範囲もしくは狭い範囲に外光を導入できる。
【０１５４】
本発明の態様２に係るウインドウ器具（１Ｃ）は、上記態様１において、上記導光部（３）は、上記導光部から出射される上記外光（Ｌ）を水平方向に散乱させる散乱構造（散乱面１３ｄ、散乱体１４）を有していてもよい。
【０１５５】
上記の構成によれば、第１導光体、および第２導光体に入射された外光を水平方向に散乱させることができる。そのため、第１導光体、および第２導光体への外光の入射状態の変化によらず、床および側壁全体を温めることができる。また、第１導光体、および第２導光体への外光の入射状態の違いによる床および側壁の温度上昇のムラを軽減することがきる。
【０１５６】
本発明の態様３に係るウインドウ器具（１Ｂ）は、上記態様１または２において、上記導光部（３）は、上記第１導光体（１１）および上記第２導光体（１３）と同じ構造を有する補助導光体（壁側出射エリア３２および壁側出射エリア３３における第１導光体１１および第２導光体１３）を有し、上記補助導光体の長手方向が、上記第１導光体および上記第２導光体の長手方向に対し、垂直となるように、または傾くように、配置されていてもよい。
【０１５７】
上記の構成によれば、ウインドウ器具から、補助導光体に入射された光は、床だけでなく、側壁にも多く集まるように室内に導入される。そのため、室内に導入される外光の量による過剰な床の温度上昇を抑えることができる。また、床だけではなく、側壁も温めることが可能となり、室内の暖房効果を高めることができる。
【０１５８】
本発明の態様４に係る蓄熱暖房システム（Ｓ１）は、上記態様１から３のいずれか１つのウインドウ器具（１Ａ〜１Ｄ）と、上記ウインドウ器具から出射された上記外光（Ｌ）が照射される照射面に配置される蓄熱材（６）とを備えていてもよい。
【０１５９】
上記の構成によれば、蓄熱材は、導光部から出射される外光により、太陽光エネルギーを蓄熱できる。これにより、室内の空気および蓄熱材に蓄熱した太陽光エネルギーにより外光が照射される照射面を温めることができる。また、蓄熱材に蓄熱した太陽光エネルギーを利用するので、日照後であっても一定時間暖房効果を持続し、暖房エネルギーの削減が可能となる。特に、日照中は家にだれもおらず、帰宅した日照後に暖房を必要とするライフパターンの家庭においては、このような蓄熱暖房システムを利用することにより暖房エネルギー削減できる。
【０１６０】
本発明の態様５に係る蓄熱暖房システム（Ｓ１）は、上記態様４において、上記照射面（床Ｆ、側壁Ｗ１）が床（Ｆ）、および壁（側壁Ｗ１）の少なくともいずれか１つであってもよい。
【０１６１】
上記の構成によれば、床および壁に蓄熱材設けことより、効率よく太陽光エネルギーを蓄熱することができるので、暖房エネルギーを削減できる。
【０１６２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１６３】
本発明は、窓、ブラインド、ロールカーテン等の遮光器具に利用することができる。
【符号の説明】
【０１６４】
１Ａ〜１Ｄ  ウインドウ器具
３  導光部
４  導光入射面
５  導光出射面
１０Ａ、１０Ｂ、１０Ｃ、１０Ｄ  導光体複合部
１１  第１導光体（第１導光体、補助導光体）
１２  透過体
１３  第２導光体（第２導光体、補助導光体）
１３ｅ  散乱面
１４  散乱体
１５  第３導光体
１６  第４導光体
Ｃ  天井
Ｆ  床（照射面）
Ｌ  外光
Ｍ１  出射光（第１出射光）
Ｍ３  出射光（第２出射光）
Ｍ２、Ｎ１、Ｎ２、Ｐ１〜Ｐ３  出射光
Ｒ  居室
Ｓ１  蓄熱暖房システム
Ｗ  壁
Ｗ１  側壁（照射面）
α  出射角（第１出射角）
γ  出射角（第２出射角）
θ  入射角
【図１】
2015178739.tif 000003
【図２】
2015178739.tif 000004
【図３】
2015178739.tif 000005
【図４】
2015178739.tif 000006
【図５】
2015178739.tif 000007
【図６】
2015178739.tif 000008
【図７】
2015178739.tif 000009
【図８】
2015178739.tif 000010
【図９】
2015178739.tif 000011
【図１０】
2015178739.tif 000012
【図１１】
2015178739.tif 000013
【図１２】
2015178739.tif 000014
【図１３】
2015178739.tif 000015
【図１４】
2015178739.tif 000016
【図１５】
2015178739.tif 000017
【図１６】
2015178739.tif 000018
【図１７】
2015178739.tif 000019
【図１８】
2015178739.tif 000020
【図１９】
2015178739.tif 000021
【図２０】
2015178739.tif 000022
【図２１】
2015178739.tif 000023
【図２２】
2015178739.tif 000024
【図２３】
2015178739.tif 000025
【図２４】
2015178739.tif 000026
【図２５】
2015178739.tif 000027
【図２６】
2015178739.tif 000028